(57)【要約】【課題】サイドデバイダの張出・収納を行いやすく、作業効率を向上させるサイドデバイダを備えたコンバインを提供すること。【解決手段】サイドデバイダ２０をブラケット７６を介して前側サイドデバイダ５８と後側サイドデバイダ６０とから構成し、該ブラケット７６をコンバイン上の別部位に備えた操作手段からの操作によって伸縮可能なアーム７５で支持する。これにより、操作手段からサイドデバイダ２０の張出・収納が可能である。【選択図】        図６
2004283027.tif 000002
【特許請求の範囲】
【請求項１】
機体前部に刈取部、その後方に運転操作部及び脱穀部をそれぞれ配置し、機体の未刈穀稈側最前部から後方に向けてサイドデバイダを備えたコンバインにおいて、前記サイドデバイダ上の支点と機体の一部との間に伸縮可能な開閉機構を設け、該開閉機構を動作させる操作手段により該サイドデバイダを収納・張出させることを特徴とするサイドデバイダを備えたコンバイン。
【請求項２】
前記サイドデバイダが、接続部材を介して前側及び後側を角度可変に接続されると共に、コンバイン前部において前端を枢支される一方、同後部において後端を摺動可能に支持される構成において、前記サイドデバイダ上の支点が該接続部材である請求項１に記載のサイドデバイダを備えたコンバイン。
【請求項３】
前記開閉機構内に、その伸縮方向の力を緩衝する緩衝部材を備えた請求項１又は２に記載のサイドデバイダを備えたコンバイン。
【請求項４】
前記操作手段が、前記刈取部に配設される請求項１ないし３に記載のサイドデバイダを備えたコンバイン。
【請求項５】
前記操作手段が、前記運転操作部に配設される請求項１ないし３に記載のサイドデバイダを備えたコンバイン。
【請求項６】
前記操作手段が、前記脱穀部に配設される請求項１ないし３に記載のサイドデバイダを備えたコンバイン。
【発明の詳細な説明】
【０００１】
【発明の属する技術分野】
本発明は、コンバインに係り、より詳しくは自脱型コンバインのサイドデバイダの機構に関するものである。
【０００２】
【従来の技術】
従来、サイドデバイダを備えたコンバインにおいて、長尺状のサイドデバイダは、非刈取り作業時には機体に収納され、刈取作業時には、未刈穀稈を機体内部に取込まないように機体外側部に張出すように構成されている。
例えば、特許文献１に示すように、コンバインのサイドデバイダを格納自在に構成する技術がある。
また、特許文献２に示すように、サイドデバイダの機外側への張出量や上下位置を変化させて畦との干渉時にサイドデバイダの変形を防止する技術がある。
さらに、特許文献３に示すようにサイドデバイダの破損を防止するために、サイドデバイダに緩衝機構を設ける技術がある。
【０００３】
【特許文献１】実用新案登録第２５１４７３６号
【特許文献２】特開平９−２１５４２８号
【特許文献３】特開２００２−６５０２８号
【０００４】
しかしながら、これら従来の技術では、サイドデバイダの張出や収納はオペレータが運転席から降り、手動で行う必要があったため、作業が中断され作業効率が悪い。また、収納を忘れた場合に、すぐさま収納動作を行うことが難しい。
【０００５】
【発明が解決しようとする課題】
本発明は上記課題の解決を図るものであり、その目的はサイドデバイダの張出・収納を行いやすく、作業効率を向上させるサイドデバイダを備えたコンバインを提供することを目的とする。
【０００６】
【課題を解決するための手段】
本発明は、上記課題を解決するため、次のような手段を有する。
すなわち、請求項１に記載の発明によると、機体前部に刈取部、その後方に運転操作部及び脱穀部をそれぞれ配置し、機体の未刈穀稈側最前部から後方に向けてサイドデバイダを備えたコンバインにおいて、前記サイドデバイダ上の支点と機体の一部との間に伸縮可能な開閉機構を設け、該開閉機構を動作させる操作手段により該サイドデバイダを収納・張出させることを特徴とするサイドデバイダを備えたコンバインを提供する。
【０００７】。
また、請求項２に記載の発明によると、前記サイドデバイダが、接続部材を介して前側及び後側を角度可変に接続されると共に、コンバイン前部において前端を枢支される一方、同後部において後端を摺動可能に支持される構成において、前記サイドデバイダ上の支点が該接続部材であるサイドデバイダを備えたコンバインを提供する。
【０００８】
請求項３記載の発明は、前記開閉機構内に、その伸縮方向の力を緩衝する緩衝部材を備えたコンバインを提供し、サイドデバイダの破損防止を図ることができる。
さらに、請求項４記載の発明は、前記操作手段が、前記刈取部に配設される構成を、また、請求項５記載の発明では、前記運転操作部に配設される構成を、請求項６記載の発明は、前記操作手段が、前記脱穀部に配設される構成をそれぞれ提供し、それぞれ作業者がコンバインから降りなくともサイドデバイダの張出収納操作を行えるようにした。
【０００９】
【発明の実施の形態】
以下に、本発明の実施の形態を図面に示す実施例に基づいて説明する。
図１は本発明に係るコンバインの左側面図、図２は同平面図、図３は同正面図、図４は全体斜視図をそれぞれ示す。図中、（１）は左右一対の走行クローラ（１ａ）、（１ｂ）からなる走行部、（２）は走行部（１）に支持された機台、そして、（３）は機台（２）の前部に設けた刈取部である。機台（２）上には運転操作部（４）、脱穀部（５）、排藁処理部（６）、穀粒タンク（７）及び穀粒排出装置（８）が設けてある。
【００１０】
刈取部（３）は分草板（９）、穀稈引起こし装置（１０）、掻込み装置（１１）、刈刃装置（１２）及び後向き搬送部（１３）を備え、２条刈の刈取部を形成している。
図５に示すコンバインの要部を示す左側面図に基づいて説述すると、これら全体が機台（２）に支持された刈取主フレーム（１４ａ）及び刈取フレーム（１４ｂ）を介して横向き支点軸（１５）回りへ上下揺動可能となる。
【００１１】
また、分草板（９）、穀稈引起こし装置（１０）、掻込み装置（１１）及び刈刃装置（１２）は一体的に結合されていて、前記刈取主フレーム（１４ａ）の先部の左右各端部箇所に縦軸ｘ回りの揺動自在に設けられた支持アーム（１６）を介して左右方向への変位可能となっている。
【００１２】
この際、穀稈引起こし装置（１０）は圃場に植立した各穀稈条列に対して後向き斜め上り方向へ単列条に配列されたタイン（１０ａ）群により穀稈を引き起こすものである。掻込み装置（１１）は刈刃装置（１２）で刈り取られた穀稈を刈刃装置（１２）の左右巾中央へ掻き集めて後向き搬送部（１３）へ送り込むもので、左右一対のベルト掻込み部（１１ａ）（１１ａ）と、左右一対のスターホイール（１１ｂ）（１１ｂ）からなる。
【００１３】
後向き搬送部（１３）は刈刃装置（１２）で刈り取られた刈取穀稈の株元部をフィードチェーン（５ｂ）へ向けて挟持搬送する株元側挟持搬送部（１３ａ）と、その刈取穀稈の穂先部を扱室入り口（５ａ）へ向けて係止搬送する穂先側係止搬送部（１３ｂ）とを具備したものとなされる。
さらに、供給ガイド（１８）、脱穀部（５）の扱胴（１７）、廃藁処理部（６）内の排藁カッタ（１９）等を備えている。
【００１４】
上記のように形成された本発明に係るコンバインは、走行部（１）の作動により走行し、機体の前進中に分草板（９）が植立穀稈の条列間を移動して隣接した条列穀稈の絡みを解し、次に穀稈引起こし装置（１０）が、上方へ移動されるタイン（１０ａ）によりその対応した条列穀稈を引き起こし、次に刈刃装置（１２）がこのように引き起こされた穀稈の株元を切断し、次に後向き搬送部（１３）がこうして刈り取られた刈取穀稈を後向き斜め上方へ搬送して脱穀部（５）に送り込む。
【００１５】
刈取時には、左走行クローラ（１ａ）によって未刈穀稈を踏まないように、刈取部（３）を、左側のスライド終端位置に位置させて通常の刈取作業を行うもので、中割作業時、刈取部（３）を右側のスライド終端位置までスライドさせ、左右走行クローラ（１ａ）（１ｂ））によって未刈穀稈を踏むのを防止する。
さらに、畦際刈作業時、刈取部（３）を畦側のスライド終端位置までスライドさせ、畦側の走行クローラ（１ａ）（１ｂ）がその畦に乗上げるのを防止し、また刈取部（３）の左右スライド調節により未刈穀稈列に対する条合せを行うようにしている。
【００１６】
次に脱穀部（５）がこの送り込まれた刈取穀稈を脱穀し、続いてこの脱穀により得られた穀粒や藁片の混合物を選別して精粒を選り出し、この選り出した精粒を穀粒タンク（７）へ向けて送り出し、一方では排藁処理部（６）が前記脱穀により生成された排藁を送り込まれてこれを寸断する等の処理を行うように作動する。
そして、穀粒タンク（７）内に穀粒が一定量以上に溜まったときは、作業者が穀粒排出装置（８）を作動させるのであり、これにより穀粒排出装置（８）は穀粒タンク（７）内の穀粒を機外に搬出してコンテナ内等に落下させる。
【００１７】
次に、図６に本発明の要部であるサイドデバイダ（２０）の平面図を示す。サイドデバイダ（２０）は、平面視で弓状に形成され、接続部であるブラケット（７６）を介して前側サイドデバイダ（５８）及び後側サイドデバイダ（６０）により構成されている。該サイドデバイダ（２０）は機体左側部に備えられ、刈取作業時には機体外部に張出し、未刈穀稈を機体内部に取込まないように機能する部材である。
【００１８】
そして、前側サイドデバイダ（５８）は、伸縮自在で、前端が分草板（９）のフレームに垂直軸回りに回動自在に取付けられ、後端が前記ブラケット（７６）に垂直軸回りに回動自在に取付けられて機体左サイドデバイダ（６０）前端側に連結され、機体左側で連結する前・後側サイドデバイダ（５８）（６０）の、アーム（７５）の伸縮動作により左右位置調整を行うように構成している。
さらに、機体左側下面に前後方向に固定したガイドレール（７７）に、機体左サイドデバイダ（６０）後端のリング部（７８）を摺動自在に嵌合している。
【００１９】
以上の構成によって、前記アーム（７５）が伸縮することによってサイドデバイダ（２０）が張出・収納するが、本発明では該アームに開閉機構であるガスダンパを用い、コンバイン上の別な部位に設けた操作手段からの操作を可能とする。
図７は本発明に係るアーム（７５）の平面透過図、図８は同正面透過図、図９は機体側からアーム（７５）を見たときの断面透過図、図１０は同サイドデバイダ（２０）側からの断面透過図であり、次のような構造を有している。
【００２０】
すなわち、最外部は角状のパイプ体である外パイプ（８０）とその内部に断面コ字状（開放面は下側）の内パイプ（８１）を摺動自在に挿装し、内パイプ（８１）は外パイプ（８０）よりも長いので、収縮状態でも外パイプ（８０）の最外端部（８０ａ）から突出している。なお外パイプ（８０）も上側の断面コ字状体（８００）と下側の板体（８０１）とを組み合わせて角状パイプ体を構成している。
内パイプ（８１）の最外端部には端板（８１ａ）を挟んでブラケット（７６）が付設されており、前記前・後側サイドデバイダ（５８）（６０）を支持している。
【００２１】
外パイプ（８０）の下面内側には山形に突出した平行な２個の軸支部（８２）（８２）を配設しており、ガスダンパのシリンダ部（８３）を軸（８４）で軸支している。さらに、同じく外パイプ（８０）の下面内側には、内パイプ（８１）内側形状に合致する固定板（８５）を付設しており、該固定板（８５）は上部を二股に分岐して該シリンダ部（８３）を挟持する構成としているので、シリンダ部（８３）の駆動時の振動を吸収しながら効果的に支持することができる。
【００２２】
一方、ガスダンパのロッド部（８６）には略Ｕ字状に屈折された滑車支持部材（８７）をナット（８８）で固設する。該滑車支持部材（８７）の対向面幅広部（８７ａ）においてそれぞれ内パイプ（８１）内側と接着し該ロッド部（８６）と内パイプ（８１）が一体的に摺動する。
また、滑車支持部材（８７）の対向面幅小部（８７ｂ）にはその外側に断面コ字状の先端板（８９）をボルト（９０）で外嵌し、かつそのボルト（９０）は内部に配設する滑車（９１）の回転軸を構成する。
【００２３】
外パイプ（８０）の機体側端部（８０ｂ）はＬ字状に屈曲した固定金具（９２）と溶接固定され、該固定金具（９２）はコンバイン機体フレームに固設される。
固定金具（９２）には屈曲部（９２ａ）には外部からのワイヤ（９３）を導通するワイヤ導通管（９４）が設けられ、さらにワイヤ（９３）は内パイプ（８１）上面内側に固設したワイヤ導通管（９５）を経て滑車（９１）に巻回する。
ワイヤ（９３）の端部は外パイプ（８０）の下面内側にワイヤ固定金具（９６）で固設されており、以上の構成からワイヤを引くと内パイプ（８１）が外パイプ（８０）に収納され、一方ワイヤの引張を解除するとガスダンパの作用で内パイプ（８１）が延出するようになる。
【００２４】
以上の構成によると、滑車を用いることでワイヤを手動で引く場合、操作過重をリンクを介さずに実過重の１／２に削減でき、しかもガスダンパの実ストロークの倍のストロークを利用して張出・収納を行うため、ガスダンパによるバネ力の変化をストロークの長さに伴って抑制することができる。
また、外パイプ・内パイプの２重構造によって、外力が直接ガスダンパに働かないため、ガスダンパの破損を防止することができる。
【００２５】
本発明のサイドデバイダ（２０）のアーム（５７）は上記の構成に限らず、例えば滑車を用いずに、オイルダンパのロッド部（８６）が直接内パイプ（８１）に接続されて直接伸縮するように構成してもよい。
また、二重パイプの構造をとらず、シリンダが直接伸縮してブラケット（７６）を変位させる構成でもよい。
【００２６】
さらに、該ワイヤ（９３）は次に説述する操作手段を用いて引っ張り操作する。図１１は操作手段であるハンドル機構の側面図、図１２は同平面断面図、図１３は同背面断面図である。
ハンドル機構は、台座板（１００）に固設されて板面から突出する回動軸（１０１）上に滑車（１０２）及びハンドル軸（１０３）が回動自在に外嵌されている。
滑車（９１）には、前記ワイヤ（９３）が巻回可能であり、ワイヤ端部を滑車（９１）上に固定している。
【００２７】
またハンドル軸（１０３）の先端部にはハンドル板（１０４）が固定され、ハンドル板（１０４）からはレバー（１０５）を突出させている。
また、ハンドル軸（１０３）上には係止凸部（１０６）を備えた係止部材（０７）を設け、バネ（１０８）にて一定方向に付勢すると共に、該ハンドル板（１０４）と干渉して所定量以上滑車が回転しないようにしている。
【００２８】
以上の操作手段によって、レバー（１０５）を回動させてワイヤ（９３）の引張操作が可能であり、従来作業者が座席から降りて手動でサイドデバイダ（２０）の張出・収納を行っていたが、これをレバー操作によって行えるようになる。
これら操作手段は、例えば運転操作部（４）の座席（３０）脇のサイドコラム（３１）に設け、作業者が着座しながら片手で操作できるようにすることができる。本構成によると、手元から近い位置にあるため、操作に簡便であり、特にサイドデバイダ（２０）の収納を忘れた場合に、即座に収納動作を行える。
【００２９】
その他、操作手段はコンバインの任意の部位に配設することができるが、例えば刈取部（３）の座席（３０）側（例えば図２・図５中位置（３２））に設け、作業者が若干体を乗り出す程度でレバー（１０５）操作を行えるようにしてもよい。本配設場所は、刈取部（３）に刈取作業に係わる操作を集中できるので、刈取脱着が容易である。
また、操作手段を脱穀部（５）の正面（例えば各図中位置（３３））に設けても良い。本位置でも作業者が着座しながらの操作が可能であり、良好な作業性を得ることができる。
【００３０】
上記において、ガスダンパを用いず、単にエアシリンダーやモータ等を用いた伸縮可能な部材で開閉機構を構成してもよい。また、ワイヤによる操作ではなく、開閉機構を電気的に駆動する部材とし、操作手段をそのオン・オフを行うスイッチとして本発明を構成することもできる。
【００３１】
【発明の効果】
以上のように、本発明のサイドデバイダを備えたコンバインにおいて、請求項１に記載の発明によると、サイドデバイダ上の支点と機体の一部との間に伸縮可能な開閉機構を設け、該開閉機構を動作させる操作手段により該サイドデバイダを収納・張出させるので、作業者がコンバインから降りてサイドデバイダの操作をする必要がなく、作業効率の向上及び収納忘れ時の対応が迅速にできる。
【００３２】
また、請求項２に記載の発明によると、サイドデバイダが、接続部材を介して前側及び後側を角度可変に接続されると共に、コンバイン前部において前端を枢支される一方、同後部において後端を摺動可能に支持される構成において、前記開閉機構の支点を該接続部材とできるので、刈取スライドの有無や左スライド・右スライドの状態にかかわらず、桿を分草する機能を奏することができるので、作業効率の向上に寄与する。
【００３３】
請求項３に記載の発明では、開閉機構内に、その伸縮方向の力を緩衝する緩衝部材を備えるので、サイドデバイダの作用位置に張出したまま畦等に衝突させた場合に、自然に収納位置に収まるため、サイドデバイダの破損防止に寄与する。
【００３４】
請求項４に記載の発明は、操作手段を刈取部に配設するので、刈取部に刈取作業に係わる操作を集中でき、刈取脱着が容易である。また操作性が向上する。
同様に請求項５の発明は、運転操作部に操作手段を配設することにより、手元から近い位置で操作に簡便であり、良好な作業性を有する。
さらに、請求項６に記載の発明では、操作手段を脱穀部に設けるので、作業者が着座しながらの操作が可能であり、同じく良好な作業性を得ることができる。
【図面の簡単な説明】
【図１】本発明に係るコンバインの左側面図である。
【図２】同、平面図である。
【図３】同、正面図である。
【図４】同、全体斜視図である。
【図５】同、要部の左側面図である。
【図６】本発明に係るサイドデバイダの平面図である。
【図７】本発明に係るアームの平面透過図である。
【図８】同、正面透過図である。
【図９】同、右側面透過図である。
【図１０】同、左側面透過図である。
【図１１】本発明に係る操作手段の側面透過図である。
【図１２】同、平面断面図である。
【図１３】同、背面断面図である。
【符号の説明】
２０        サイドデバイダ
５８        前側サイドデバイダ
６０        後側サイドデバイダ
７５        アーム
７６        ブラケット
【図１】
2004283027.tif 000003
【図２】
2004283027.tif 000004
【図３】
2004283027.tif 000005
【図４】
2004283027.tif 000006
【図５】
2004283027.tif 000007
【図６】
2004283027.tif 000008
【図７】
2004283027.tif 000009
【図８】
2004283027.tif 000010
【図９】
2004283027.tif 000011
【図１０】
2004283027.tif 000012
【図１１】
2004283027.tif 000013
【図１２】
2004283027.tif 000014
【図１３】
2004283027.tif 000015